(57)【要約】【課題】キーボードの表示を変更するキーボードカバーを提供する。【解決手段】アルファベットの大文字および小文字を併記して表示しているキーボードカバーを、コンピュータ等の電子機器に使用するキーボード上に覆い被せて使用することでキーボードの表示を変更し、タイプミスを減らすなど操作性を高めることができる。なお、アルファベットや記号等の読み方、ＳＨＩＦＴキーと同時に打鍵した場合に表示される文字、およびタッチタイピングをする場合において当該キーを打鍵すべき指を図形または着色等で同時に表示することが望ましい。【選択図】図２
0003232430.tif 000002
【実用新案登録請求の範囲】
【請求項１】
コンピュータ等の電子機器に使用するキーボード上に覆い被せて使用するキーボードカバーであって、キーを打鍵することで入力されるアルファベットの大文字および小文字を併記して表示されていることを特徴としたキーボードカバー
【請求項２】
前記キーボードカバーに、前記アルファベット文字の読み方をひらがなまたはカタカナで表示されていることを特徴とする請求項１記載のキーボードカバー
【請求項３】
コンピュータ等の電子機器に使用するキーボード上に覆い被せて使用するキーボードカバーであって、キーを打鍵することで入力される記号および前記記号の読み方をひらがなまたはカタカナで併記して表示されていることを特徴とするキーボードカバー
【請求項４】
前記キーボードカバーに、ＳＨＩＦＴキーと同時に打鍵した場合に入力されるアルファベットまたは記号を、図形または着色等を用いて表示されていることを特徴とする請求項１〜３のいずれか１項に記載のキーボードカバー
【請求項５】
前記キーボードカバーに、ホームポジションを意識したタッチタイピングをする場合において当該キーを打鍵すべき指を、図形または着色等を用いて表示されていることを特徴とする請求項１〜４のいずれか１項に記載のキーボードカバー
【請求項６】
コンピュータ等の電子機器に使用するキーボード上に覆い被せて使用するキーボードカバーであって、キー名称（英語や英略語あるいはアイコン）および前記キー名称の読み方（ひらがなまたはカタカナ）や機能の説明を併記して表示されていることを特徴とするキーボードカバー
【考案の詳細な説明】
【技術分野】
【０００１】
本考案は、コンピュータ等の電子機器に使用するキーボード上に覆い被せて使用するキーボードカバーに関する。
【背景技術】
【０００２】
タイプミスを防止するキーボードに関する技術がいくつか知られている。例えば、キーボードの個々のキーやボタン等に、キーを打鍵することによって入力されるアルファベット文字を大文字及び小文字で表記した、キーボードのキー貼付用シール及びキーボードのキー貼付用シールが印刷された印刷物が知られている（非特許文献１参照）。
【０００３】
また、タイプミスを防止するキーボードに関する他の技術として、アルファベットの大文字と小文字および形態によっては読み方を目視で認識することにより、適切に打鍵するキーを認識することができ、キーボードの操作性を高めることが可能になるキーキャップが知られている（非特許文献２参照）。
【０００４】
また、タイプミスを防止するキーボードに関する他の技術として、左手用および右手用のホームポジションを指示するための突起を、キーの上面に設けたキーボードが知られている（特許文献１参照）。
【先行技術文献】
【特許文献】
【０００５】
【特許文献１】特開２００３−２１６３０７号公報
【非特許文献】
【０００６】
【非特許文献１】実願２０１９−０００４５３号公報
【非特許文献２】実願２０２０−００３３８５号公報
【考案の概要】
【考案が解決しようとする課題】
【０００７】
例えば、キーボードに対してタイプミスを防止する機能を増やしたい場合、キー上面の表示等を変更することを考える。
【０００８】
しかしながら、キーボードにシールを貼付した場合、打鍵により剥がれてしまうという問題がある。
【０００９】
また、キーボードのキーキャップを交換すると、多大な手間がかかるほか、通常の使用範囲を逸脱し、キーボード等のメーカー保証から除外されるという問題がある。
【００１０】
また、ホームポジションを指示するための突起を、キーボードのキーの上面にあとから設置するのは困難であるという問題がある。
１つの側面では、本考案はキーボードの表示を変更することを目的とする。
【課題を解決するための手段】
【００１１】
上記目的を達成するために、開示のキーボードカバーが提供される。このキーボードカバーは、本体部と表示部を有している。
【００１２】
本体部は、コンピュータ等の電子機器に使用するキーボード上に覆い被せるように取り付ける。表示部は、キーボードにおける各キーの位置にアルファベットの大文字および小文字を併記して表示していることを特徴とする。
【００１３】
併せて表示部に、前記アルファベットや記号等の読み方がひらがなまたはカタカナで併記して表示されていることを特徴としてもよい。
【００１４】
また表示部は、キーを打鍵することで入力される記号および前記記号の読み方をひらがなまたはカタカナで併記して表示されていることを特徴としてもよい。
【００１５】
前記表示部に併せて、ＳＨＩＦＴキーと同時に打鍵した場合に入力される文字を明確に表示していることを特徴としてもよい。
【００１６】
また、前記表示部に併せて、ホームポジションを意識したタッチタイピングをする場合において当該キーを打鍵すべき指を、図形または着色等を用いて表示されていることを特徴としてもよい。
【００１７】
また表示部は、キー名称および前記キー名称の読み方をひらがなまたはカタカナで併記して表示されていることを特徴としてもよい。
【００１８】
また表示部は、キーを打鍵することで動作する機能を示すアイコンおよび前記機能の説明を併記して表示されていることを特徴としてもよい。
【考案の効果】
【００１９】
一態様では、本考案はキーボードの表示を変更することができる。
【図面の簡単な説明】
【００２０】
【図１】実施の形態のキーボードカバーの一例を示す斜視略図である。
【図２】実施の形態のキーボードカバーの一例を示す正面図である。
【考案を実施するための形態】
【００２１】
以下、実施の形態のキーボードカバーの一例を、図面を参照して詳細に説明する。なお、以下において説明する実施形態は、本考案に係るキーボードカバーの一例を示したものであって、キーボードカバーのデザインや、各々の表示における文字の大きさやフォント、着色、図形等は、図１〜図２に示した例に限定されるものではない。
【００２２】
＜実施の形態＞
図１は、実施の形態のキーボードカバーの一例を示す斜視略図であり、打鍵するとアルファベット「Ａ（ａ）」が入力されるキーに該当する表示を拡大したものである。
【００２３】
実施の形態のキーボードカバー１は、本体部２と、表示部３を有している。
【００２４】
本体部２は、コンピュータ等の電子機器に使用するキーボード上に覆い被せるように取り付ける。
【００２５】
表示部３は、本体部２を取り付けるキーボードのキーと同数あり、キーボードに取り付けた際、それぞれの表示部がキーの真上に来る位置に存在する。この表示部３には、キーを打鍵することによって入力されるアルファベットを表示する大文字表示部４と小文字表示部５で構成される。もしくは、読み方表示部６が存在する形態でもよい。さらには、ＳＨＩＦＴキーを押した場合に表示される文字を明確に表示するＳＨＩＦＴ判別部７が存在する形態でもよい。なお、ＳＨＩＦＴ判別部７は、図形または着色等を用いて表示する。さらに表示部３には、ホームポジションを意識したタッチタイピングをする場合に、当該のキーを打鍵すべき指を、図形または着色等を用いて表示されている形態でも良い。
【００２６】
表示部３上における大文字表示部４と小文字表示部５、読み方表示部６の位置関係は問わない。
【００２７】
打鍵するとアルファベットが入力されるキー以外、すなわち記号を入力するキーや、打鍵することで所定の機能が実行されるキー（ＥｎｔｅｒキーやＥｓｃキーなど）における表示部３については、図２の例に示したように、記号を入力するキーに対応する表示部には、その記号および読み方をひらがなまたはカタカナで併記して表示し、所定の機能が実行されるキーに対応する表示部には、キー名称（英語や英略語）およびキー名称の読み方をひらがなまたはカタカナで併記するか、キーを示すアイコンおよび機能の説明を併記して表示されていることが望ましい。
【００２８】
以上、本考案のキーボードカバーを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【００２９】
また、本考案は、前述した各実施の形態のうちの、任意の２以上の構成（特徴）を組み合わせたものであってもよい。
【符号の説明】
【００３０】
１  キーボードカバー
２  本体部
３  表示部
４  大文字表示部
５  小文字表示部
６  読み方表示部
７  ＳＨＩＦＴ判別部
【図１】
0003232430.tif 000003
【図２】
0003232430.tif 000004